【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
電力レールに接続され、前記電力レールを介して、負荷デバイスに電流を供給するように構成された第１の電源と、前記第１の電源は、前記電力レールを第１のターゲット電圧レベルに調整するようにさらに構成され、前記電力レールの第１のターゲット電圧レベルへの調整は、前記電力レールを前記第１のターゲット電圧レベルと比較することを含み、
前記電力レールに結合された第１の端子を有する結合キャパシタと、
前記第１の電源に並列で接続され、前記結合キャパシタの第２の端子に結合された線形電圧レギュレータと、前記電圧レギュレータは、前記電力レールを第２のターゲット電圧レベルに調整するように構成され、前記電力レールの前記第２のターゲット電圧レベルへの調整は、前記電力レールを前記第２のターゲット電圧レベルと比較することを含み、
を備え、
前記第１の電源は、効率的な数の前記線形電圧レギュレータよりも、より高い効率的な数で電流を供給するように動作可能であり、前記線形電圧レギュレータは、前記第１の電源よりも、より広い帯域幅で、前記電力レールを調整するように動作可能である、ハイブリッド並列電源。
【請求項２】
前記第１の電源は、スイッチングモード電源である、請求項１に記載のハイブリッド並列電源。
【請求項３】
前記第１のターゲット電圧レベルは、前記第２のターゲット電圧レベルと等しい、請求項１に記載のハイブリッド並列電源。
【請求項４】
第３のターゲット電圧レベルで、前記電圧レギュレータの入力に電力を供給するように構成された第２の電源をさらに備え、
前記第３のターゲット電圧レベルは、前記線形電圧レギュレータが前記電力レールを前記第２のターゲット電圧レベルに調整できるように選択され、
前記第１および第２の電源は、外部電源から電力を受け取るように構成されている、請求項１に記載のハイブリッド並列電源。
【請求項５】
電力レールに接続され、前記電力レールを介して、負荷デバイスに電流を供給するように構成された第１の電源と、前記第１の電源は、前記電力レールを第１のターゲット電圧レベルに調整するようにさらに構成され、前記第１のターゲット電圧レベルの調整は、前記電力レールを前記第１のターゲット電圧レベルと比較することを含み、
前記電力レールに結合された第１の端子を有する結合キャパシタと、
前記結合キャパシタの第２の端子に結合された線形電圧レギュレータと、前記電圧レギュレータは、前記電力レールを第２のターゲット電圧レベルに調整するように構成され、前記第２のターゲット電圧レベルの調整は、前記電力レールを前記第２のターゲット電圧レベルと比較することを含み、
を備え、
前記電圧レギュレータは、前記電力レールに結合された第１の入力と、前記第２のターゲット電圧レベルで、基準電圧を受け取るように構成された第２の入力と、前記電圧レギュレータの出力に接続された前記出力とを有する演算増幅器を備える、ハイブリッド並列電源。
【請求項６】
前記演算増幅器の前記第１の入力は、ハイパスフィルタによって前記電力レールに結合される、請求項５に記載のハイブリッド並列電源。
【請求項７】
前記演算増幅器は、演算相互コンダクタンス増幅器である、請求項５に記載のハイブリッド並列電源。
【請求項８】
前記演算増幅器は、クラスＡＢ演算増幅器である、請求項５に記載のハイブリッド並列電源。
【請求項９】
前記電圧レギュレータは、
基準出力電圧を生成するように構成されたバンドギャップ源と、
第１のデジタル入力と前記バンドギャップ源からの前記基準出力電圧とに基づいて、前記演算増幅器に前記基準電圧を供給するように構成された第１の基準コンバータとをさらに備える、請求項５に記載のハイブリッド並列電源。
【請求項１０】
電力レールに接続され、前記電力レールを介して、負荷デバイスに電流を供給するように構成された第１の電源と、前記第１の電源は、前記電力レールを第１のターゲット電圧レベルに調整するようにさらに構成され、前記電力レールの第１のターゲット電圧レベルへの調整は、前記電力レールを前記第１のターゲット電圧レベルと比較することを含み、
前記電力レールに結合された第１の端子を有する結合キャパシタと、
前記結合キャパシタの第２の端子に結合された電圧レギュレータと、前記電圧レギュレータは、前記電力レールを第２のターゲット電圧レベルに調整するように構成され、前記電力レールの前記第２のターゲット電圧レベルへの調整は、前記電力レールを前記第２のターゲット電圧レベルと比較することを含み、
を備え、
前記電圧レギュレータは、前記負荷デバイスと共に第１のダイ上に配置され、前記第１の電源は、第２のダイ上に配置される、ハイブリッド並列電源。
【請求項１１】
前記結合キャパシタは、前記第１のダイ上に配置されたキャパシタを含む、請求項１０に記載のハイブリッド並列電源。
【請求項１２】
負荷デバイスに電力を供給する方法であって、
前記方法は、
前記負荷デバイスに接続されている電力レールを第１のターゲット電圧レベルと比較することと、
前記電力レールと第１のターゲット電圧レベルとの比較に基づいて、前記電力レールを介して、第１の電源から前記負荷デバイスに電流を供給することと、
前記電力レールを第２のターゲット電圧レベルと比較することと、
前記電力レールと前記第２のターゲット電圧レベルとの比較に基づいて、結合キャパシタを介して、電圧レギュレータから前記負荷デバイスに電流を供給することと、
前記電力レールの電圧をハイパスフィルタリングすることと、
前記電力レールの前記ハイパスフィルタリングされた電圧に基づいて、前記電圧レギュレータから前記電流を供給することとを備える、方法。
【請求項１３】
前記第１の電源は、スイッチングモード電源である、請求項１２に記載の方法。
【請求項１４】
前記電圧レギュレータは、クラスＡＢ演算増幅器を含む、請求項１２に記載の方法。
【請求項１５】
前記第１のターゲット電圧レベルは、前記第２のターゲット電圧レベルと等しい、請求項１２に記載の方法。
【請求項１６】
前記電圧レギュレータから電流を供給することは、
前記電力レールの電圧と前記第２のターゲット電圧レベルとの間の差を増幅することと、
前記増幅された差に基づいて、前記電圧レギュレータから前記電流を供給することとを備える、請求項１２に記載の方法。
【請求項１７】
外部電源から前記第１の電源および第２の電源に電力供給することと、
前記電圧レギュレータが前記電力レールを前記第２のターゲット電圧レベルに調整できるように選択されている第３のターゲット電圧レベルで、前記第２の電源から前記電圧レギュレータに電流を供給することと、をさらに備える、請求項１２に記載の方法。
【請求項１８】
電力レールに接続され、前記電力レールを介して、第１のターゲット電圧レベルで、負荷デバイスに電流を供給するように構成された、電力を供給するための第１の手段と、前記電力を供給するための第１の手段は、電力供給手段から電力を受け取り、
前記電力レールに結合された第１の端子を有する結合キャパシタと、
前記結合キャパシタの第２の端子に結合され、前記電力レールを第２のターゲット電圧レベルに調整するように構成された、電圧を調整するための手段と、を備え、
前記電圧を調整するための手段は、前記負荷デバイスと共に第１のダイ上に配置され、前記電力を供給するための第１の手段は、第２のダイ上に配置される、ハイブリッド並列電源。
【請求項１９】
前記電力を供給するための第１の手段は、スイッチングモード電源である、請求項１８に記載のハイブリッド並列電源。
【請求項２０】
前記電圧を調整するための手段は、クラスＡＢ演算増幅器を含む、請求項１８に記載のハイブリッド並列電源。
【請求項２１】
前記第１のターゲット電圧レベルは、前記第２のターゲット電圧レベルと等しい、請求項１８に記載のハイブリッド並列電源。
【請求項２２】
前記電圧を調整するための手段は、前記電力レールに結合された第１の入力と、前記第２のターゲット電圧レベルで、基準電圧を受け取るように構成された第２の入力と、前記結合キャパシタの前記第２の端子に接続された出力とを有する、演算増幅器を備える、請求項１８に記載のハイブリッド並列電源。
【請求項２３】
第３のターゲット電圧レベルで、前記電圧を調整するための手段の入力に電力を供給するように構成された、電力を供給するための第２の手段をさらに備え、
前記電力を供給するための第１の手段および前記電力を供給するための第２の手段は、外部電源から電力を受け取るように構成されている、請求項１８に記載のハイブリッド並列電源。
【請求項２４】
前記結合キャパシタは、前記第１のダイ上に配置されたキャパシタを含む、請求項１８に記載のハイブリッド並列電源。
【請求項２５】
前記演算増幅器の前記第１の入力は、ハイパスフィルタによって前記電力レールに結合される、請求項２２に記載のハイブリッド並列電源。
【請求項２６】
前記演算増幅器は、演算相互コンダクタンス増幅器である、請求項２２に記載のハイブリッド並列電源。
【請求項２７】
前記電圧を調整するための手段は、
基準出力電圧を生成するように構成されたバンドギャップ源と、
第１のデジタル入力と前記バンドギャップ源からの前記基準出力電圧とに基づいて、前記演算増幅器に前記基準電圧を供給するように構成された、第１の基準コンバータとをさらに備える、請求項２２に記載のハイブリッド並列電源。
【手続補正２】
【補正対象書類名】明細書
【補正対象項目名】００６２
【補正方法】変更
【補正の内容】
【００６２】
[0069]  開示された実施形態の上記説明は、いかなる当業者もが、本発明の製造または使用できるように提供されている。これらの実施形態に対する様々な修正は、当業者に容易に明らかになり、本明細書で説明されている包括的な本質は本開示の範囲もしくは趣旨から逸脱することなく他の実施形態に適用され得る。よって、本明細書で表されている説明および図面は、本願発明の目下好まれている実施形態を表しており、それゆえ、本願発明によって広く考慮される主題の代表的なものであることが理解されるものとする。さらに、本願発明の範囲は、当業者に明らかになり得る他の実施形態を十分に包含すること、従って、本願発明の範囲が添付の特許請求の範囲以外の何によっても限定されないことがさらに理解される。
以下に、本願出願の当初の特許請求の範囲に記載された発明を付記する。
［１］  電力レールに接続され、前記電力レールを介して、負荷デバイスに電流を供給するように構成された第１の電源と、前記第１の電源は、前記電力レールを第１のターゲット電圧レベルに調整するようにさらに構成され、
前記電力レールに結合された第１の端子を有する結合キャパシタと、
前記結合キャパシタの第２の端子に結合された電圧レギュレータと、前記電圧レギュレータは、前記電力レールを第２のターゲット電圧レベルに調整するように構成され、を備える、ハイブリッド並列電源。
［２］  前記第１の電源は、スイッチングモード電源である、［１］に記載のハイブリッド並列電源。
［３］  前記第１のターゲット電圧レベルは、前記第２のターゲット電圧レベルと等しい、［１］に記載のハイブリッド並列電源。
［４］  前記電圧レギュレータは、前記電力レールに結合された第１の入力と、前記第２のターゲット電圧レベルで、基準電圧を受け取るように構成された第２の入力と、前記電圧レギュレータの前記出力に接続された出力とを有する演算増幅器を備える、［１］に記載のハイブリッド並列電源。
［５］  前記演算増幅器の前記第１の入力は、ハイパスフィルタによって前記電力レールに結合される、［４］に記載のハイブリッド並列電源。
［６］  前記演算増幅器は、演算相互コンダクタンス増幅器である、［４］に記載のハイブリッド並列電源。
［７］  前記演算増幅器は、クラスＡＢ演算増幅器である、［４］に記載のハイブリッド並列電源。
［８］  前記電圧レギュレータは、
基準出力電圧を生成するように構成されたバンドギャップ源と、
第１のデジタル入力と前記バンドギャップ源からの前記基準出力電圧とに基づいて、前記演算増幅器に前記基準電圧を供給するように構成された第１の基準コンバータとをさらに備える、［４］に記載のハイブリッド並列電源。
［９］  第３のターゲット電圧レベルで、前記電圧レギュレータの入力に電力を供給するように構成された第２の電源をさらに備える、［１］に記載のハイブリッド並列電源。
［１０］  前記電圧レギュレータは、前記負荷デバイスと共に第１のダイ上に配置され、前記第１の電源は、第２のダイ上に配置される、［１］に記載のハイブリッド並列電源。
［１１］  前記結合キャパシタは、前記第１のダイ上に配置されたキャパシタを含む、［１０］に記載のハイブリッド並列電源。
［１２］  前記第１の電源は、前記電圧レギュレータよりも、より大きな効率で電流を供給するように動作可能であり、ここにおいて、前記電圧レギュレータは、前記第１の電源よりも、より広い帯域幅で、前記電力レールを調整するように動作可能である、［１］に記載のハイブリッド並列電源。
［１３］  負荷デバイスに電力を供給する方法であって、
前記方法は、
電力レールを介して、第１のターゲット電圧レベルで、電源から前記負荷デバイスに電流を供給することと、
結合キャパシタを介して、第２のターゲット電圧レベルで、電圧レギュレータから前記負荷デバイスに電流を供給することとを備える、方法。
［１４］  前記電源は、スイッチングモード電源である、［１３］に記載の方法。
［１５］  前記電圧レギュレータは、クラスＡＢ演算増幅器を含む、［１３］に記載の方法。
［１６］  前記第１のターゲット電圧レベルは、前記第２のターゲット電圧レベルと等しい、［１３］に記載の方法。
［１７］  前記電圧レギュレータから電流を供給することは、
前記電力レールの電圧および前記第２のターゲット電圧レベル間の差を増幅することと、
前記増幅された差に基づいて、前記電圧レギュレータから前記電流を供給することとを備える、［１３］に記載の方法。
［１８］  前記電力レールの前記電圧をハイパスフィルタリングすることと、
前記電力レールの前記ハイパスフィルタリングされた電圧に基づいて、前記電圧レギュレータから前記電流を供給することとをさらに備える、［１３］に記載の方法。
［１９］  電力レールに接続され、前記電力レールを介して、第１のターゲット電圧レベルで、負荷デバイスに電流を供給するように構成された、電力を供給するための第１の手段と、
前記電力レールに結合された第１の端子を有する結合キャパシタと、
前記結合キャパシタの第２の端子に結合され、前記電力レールを第２のターゲット電圧レベルに調整するように構成された、電圧を調整するための手段と、を備える、ハイブリッド並列電源。
［２０］  前記電力を供給するための第１の手段は、スイッチングモード電源である、［１９］に記載のハイブリッド並列電源。
［２１］  前記電圧を調整するための手段は、クラスＡＢ演算増幅器を含む、［１９］に記載のハイブリッド並列電源。
［２２］  前記第１のターゲット電圧レベルは、前記第２のターゲット電圧レベルと等しい、［１９］に記載のハイブリッド並列電源。
［２３］  前記電圧を調整するための手段は、前記電力レールに結合された第１の入力と、前記第２のターゲット電圧レベルで、基準電圧を受け取るように構成された第２の入力と、前記結合キャパシタの前記第２の端子に接続された出力とを有する、演算増幅器を備える、［１９］に記載のハイブリッド並列電源。
［２４］  前記演算増幅器の前記第１の入力は、ハイパスフィルタによって前記電力レールに結合される、［２３］に記載のハイブリッド並列電源。
［２５］  前記演算増幅器は、演算相互コンダクタンス増幅器である、［２３］に記載のハイブリッド並列電源。
［２６］  前記電圧を調整するための手段は、
基準出力電圧を生成するように構成されたバンドギャップ源と、
第１のデジタル入力と前記バンドギャップ源からの前記基準出力電圧とに基づいて、前記演算増幅器に前記基準電圧を供給するように構成された、第１の基準コンバータとをさらに備える、［２３］に記載のハイブリッド並列電源。
［２７］  第３のターゲット電圧レベルで、前記電圧を調整するための手段の入力に電力を供給するように構成された、電力を供給するための第２の手段をさらに備える、［１９］に記載のハイブリッド並列電源。
［２８］  前記電圧を調整するための手段は、前記負荷デバイスと共に第１のダイ上に配置され、前記電力を供給するための第１の手段は、第２のダイ上に配置される、［１９］に記載のハイブリッド並列電源。
［２９］  前記結合キャパシタは、前記第１のダイ上に配置されたキャパシタを含む、［２８］に記載のハイブリッド並列電源。